(57)【要約】【課題】  夜間や暗い所でもお守り袋の存在が認識でき、その表面に表出された美しい模様や色彩を視認できるお守り袋を提供する。【解決手段】  お守り袋１０の表面に反射箔糸を使用して図柄や模様３、あるいは文字２等を表出したり、お守り袋の地模様４に反射箔糸を使用する。その結果、お守り袋１０に光が当たると、それら図柄や模様等が受けた光を反射するため、暗所等においてお守り袋の存在を認識可能となる。【選択図】        図１
2007068615.tif 000002
【特許請求の範囲】
【請求項１】
織糸に反射箔を使用してなる反射箔糸を単数または複数種類使用して縦糸または緯糸、あるいは縦糸と緯糸に用いて織られた織物によって袋体に構成されたことを特徴とするお守り袋。
【請求項２】
前記反射箔糸によって図柄や模様あるいは文字の全部または一部を単独であるいは複合した状態で前記織物の表面に形成表出したことを特徴とする請求項１記載のお守り袋。
【請求項３】
前記織物において図柄や模様あるいは文字を除く地模様部が前記反射箔糸によって形成されていることを特徴とする請求項１記載のお守り袋。
【請求項４】
前記織物において図柄や模様あるいは文字と、地模様部とが前記反射箔糸によって形成されていることを特徴とする請求項１記載のお守り袋。
【請求項５】
前記図柄や模様あるいは文字が一定間隔に連続して形成表出されるように織られた前記織物を一定間隔で裁断し、その裁断で得られた織物片を縫合して前記袋体に構成したことを特徴とする請求項２乃至４のいずれかに記載のお守り袋。
【請求項６】
前記図柄や模様あるいは文字が前記袋体の表面または裏面、あるいは表面と裏面とに形成表出されていることを特徴とする請求項５記載のお守り袋。
【請求項７】
内部にお守り体を入れて、全体が織物地によって覆われて形成されるお守り袋であって、反射箔糸を用いて織られた織物を使用することにより、前記織物地に形成された模様部あるいは地模様部、または模様部と地模様部が暗所で光を反射するように構成されたことを特徴とするお守り袋。
【発明の詳細な説明】
【技術分野】
【０００１】
本発明は、お守りを入れるためのお守り袋に関し、特に所定の繊維を織って作られた織物地により構成されるお守り袋に関するものである。
【背景技術】
【０００２】
一般的にお守り袋は、織物地等によって構成される袋体と、その中に入れるお守りが外へ出ないようにするとともに、お守り入れ袋そのものを吊り下げることができるようにするため、袋体の開口上端部近くに設けた紐とによって構成される。
【０００３】
また、お守りを外から見えるようにするため、内部に厚紙、あるいは板材を入れ、表部を色紙等で包んで板状体にし、その板状体の下部に織物地で袋部を設け、かつ上部にも織物地を付着させて飾りとし、それらの織物地の端をもう１枚の板状体で接着して固定形成し、袋部にお守りを入れることができるようにしたものがある。さらに、円形状や台形状、あるいは方形状の厚紙や板材、その他の芯材の全体を織物で覆い、それら形状体の下部に織物地で袋部を設けて、その袋部にお守りを入れることができるようにしたものもある。
【発明の開示】
【発明が解決しようとする課題】
【０００４】
しかしながら、従来のお守り袋やお守り入れケースは、明るい場所では、お守り袋の外観に表れる模様や、それらの材料である紙や織物等を良好に視認することができても、夜間や暗い場所等では、模様や色彩のみならず、お守りとそれを入れたお守り袋の存在すら容易に認識できない場合があった。
【０００５】
すなわち、お守り袋の表面にあしらった模様や色彩の美しさや豊かさが人々に認識されないことは、装飾を施すことで見た目の美しさを兼ねたお守り袋本来の機能が損なわれるという問題がある。また、お守りを入れた袋やケースそのものが認識されないようでは、お守りを保持する者にとって、そのご利益に与ることができないという問題がある。
【０００６】
一方、太陽光線によって特定の色彩に変色する白糸を単数または複数種類使用して、それを縦糸と緯糸に用いて織った織物、あるいは、発光塗料を使用した繊維や糸を用いて織られた織物を使用したお守り入れ袋やケースが既に知られている（例えば、特許文献１参照）。
【０００７】
しかし、発光塗料を使用した織物をお守り袋に用いた場合、暗い場所等における視認性に問題はないとしても、その扱いに一定の注意を要する。すなわち、発光塗料には、その発光機能を維持するため、わずかながらも放射性物質を含んでいるため、常時、人体に密着させた態様での使用には制限が設けられるべきである。また、この種のお守り袋は、通常、視認性を重視する観点から、衣服のポケットに入れたり、カバン類に吊り下げる等して持ち歩くことがほとんどであり、その使用態様のみならず、生産や廃棄等にも厳しい管理が必要となる。
【０００８】
【特許文献１】実願２００２−６１３７号（実用新案登録第３０９２３１４号公報）
【０００９】
本発明は、上述した課題に鑑みてなされたもので、その目的とするところは、夜間や暗い所でお守り入れが認識されない、あるいは暗所等においても視覚的にお守り入れ袋の装飾を安心して楽しめないという従前の不便や欠点を解消したお守り袋を提供することである。
【課題を解決するための手段】
【００１０】
かかる目的を達成し、上述した課題を解決する一手段として、例えば、以下の構成を備える。すなわち、織糸に反射箔を使用してなる反射箔糸を単数または複数種類使用して縦糸または緯糸、あるいは縦糸と緯糸に用いて織られた織物によって袋体に構成されたことを特徴とする。
【００１１】
例えば、上記反射箔糸によって図柄や模様あるいは文字の全部または一部を単独であるいは複合した状態で上記織物の表面に形成表出したことを特徴とする。
【００１２】
例えば、上記織物において図柄や模様あるいは文字を除く地模様部が上記反射箔糸によって形成されていることを特徴とする。また、例えば、上記織物において図柄や模様あるいは文字と、地模様部とが上記反射箔糸によって形成されていることを特徴とする。
【００１３】
例えば、上記図柄や模様あるいは文字が一定間隔に連続して形成表出されるように織られた上記織物を一定間隔で裁断し、その裁断で得られた織物片を縫合して上記袋体に構成したことを特徴とする。また、例えば、上記図柄や模様あるいは文字が上記袋体の表面または裏面、あるいは表面と裏面とに形成表出されていることを特徴とする。
【００１４】
上述した課題を解決する他の手段として、本発明は、内部にお守り体を入れて、全体が織物地によって覆われて形成されるお守り袋であって、反射箔糸を用いて織られた織物を使用することにより、上記織物地に形成された模様部あるいは地模様部、または模様部と地模様部が暗所で光を反射するように構成されたことを特徴とする。
【発明の効果】
【００１５】
本発明によれば、夜間や暗い所でもお守りや、お守り袋の存在が認識でき、かつ、お守り袋に表出した美しい模様や色彩を安心して楽しめるお守り袋を提供できる。
【発明を実施するための最良の形態】
【００１６】
以下、添付図面を参照して、本発明に係る実施の形態例を詳細に説明する。図１は、本実施の形態例に係るお守り袋（お守り入れ袋ともいう）の外観構成を示している。図１に示すお守り袋１０は、後述する工程により、繊維として反射箔糸を使用して織った織物によって構成される袋体１と、その袋体１の開口上端部近くに、中に入れるお守り（不図示）が容易に外へ出ないようにするとともに、お守り入れ袋を吊り下げることができるようにするための紐５とからなる。
【００１７】
ここでは、織物表面、つまり、袋体１の表面あるいは裏面に単独で、あるいは複合した状態で表出させた図柄や模様３、あるいは文字２の一部分、例えば、それらの輪郭部に反射箔糸を使用して、その部分に光が当たると反射するように織り上げる。なお、単独で織物表面に表出させるとは、例えば、単に図柄なら図柄のみを、織物表面に表出させることができるということであり、複合した状態とは、例えば、図柄と文字、あるいは模様と図柄および文字を同時に、織物表面に表出させることができるということである。
【００１８】
本実施の形態例に係るお守り袋の形状は、図１に示す長方形状の他、正方形状、台形状、巾着形状、あるいは円形状にも構成でき、その大きさも様々なものとすることができる。さらには、反射箔糸の色彩として目的とする色（例えば、金、銀等）のものを使用することで、その色が表出されたお守り入れ袋を構成することもできる。
【００１９】
模様や図柄３のうち、図柄として、例えば、山の図、花の図、動物の図、建物、あるいは人物図等、様々な図柄を表出できる。また、模様としては、例えば、花柄模様、同一形状の模様等を連続して表出することができる。これらの模様や図柄３は、お守り袋の一方側表面、あるいは両側表面に表出することができる。また、模様や図柄３を単独でも、また他の模様や文字等と複合した状態でも表出させることができる。
【００２０】
模様や図柄３の輪郭部分のみを反射箔糸で表出し、その部分が光を反射するように表出し、模様や図柄３の輪郭部以外の部分については、あらかじめ様々な色彩で染められた通常の繊維で織り上げることで、輪郭部分を強調した模様等を表出することができる。また、模様や図柄３の輪郭部分とその他の部分を、それぞれ異なる色の反射箔糸を使用して表出させることもできる。従って、模様や図柄３が単独で表出されるお守り袋、あるいは模様や図柄３が両側面に表出されるお守り袋、さらには、他の模様や文字とともに複合的に表出されるお守り袋等、種々のケースを構成することができる。
【００２１】
文字２は、通常、お守り袋１０の表側に「御守」の文言の他、例えば、交通安全、家内安全、学業成就、合格、身体健全等の祈願用語で、お守り袋１０の中に入るお守りと同じような文字を表示し、お守り袋１０の裏面には、例えば、神社、仏閣の名称が表示される。これらの文字２についても、上述した模様や図柄３と同様、その輪郭部分を反射箔糸で織り上げ、光が当たるとその部分で光が反射するように表出することができる。
【００２２】
文字２は、お守り袋１０の場合、通常、表と裏の二ヶ所に表出されるが、いずれか一方側面のみの場合もある。そして、文字２は、反射箔糸を使用してお守り袋１０の一方側面、あるいは両側面において、単独あるいは複合的に夜間等において、その文字の輪郭部分で光が反射するように構成できる。
【００２３】
一方、お守り袋１０の地模様４は、お守り袋１０の織物を織る際に、例えば、楔形地模様や唐草地模様、縦縞地模様や横縞地模様等を形成したり、無地とすることができる。この地模様４についても、反射箔糸を使用して光が当たると反射するように表出できる。その結果、地模様４の部分のみが光を反射するようにもできるし、他の模様や図柄３、あるいは文字２と複合的に光を反射するようにもできる。
【００２４】
また、地模様４については、お守り袋１０の一方側面の地模様のみ、あるいは両側表面の地模様が夜間等において受けた光を反射するように反射箔糸を使用して表出できる。その際、地模様４と、他の模様や図柄３、あるいは文字２とを反射箔糸を使用して織ることで、その部分で光が反射するように表出できる。よって、地模様４、模様や図柄３、文字２が複合的に光を反射するお守り袋１０を構成できる。なお、反射箔糸を織物の縦糸や緯糸、あるいは縦糸と緯糸の双方に用いて織物を織ることもできる。
【００２５】
このように、本実施の形態例に係るお守り袋は、反射箔糸を使用して織った織物を使用することで、模様や図柄３、文字２、地模様４の一部あるいは全部が、各々単独にあるいは複合的に、暗所等において受けた光を反射するように構成できる。また、お守り袋１０は、その一方側面の模様や図柄３、文字２、あるいは地模様４が、単独あるいは複合的に暗闇の中で受けた光を反射したり、両側表面の模様や図柄３、文字２、あるいは地模様４が光を反射するようにもできる。
【００２６】
従って、反射箔糸を適宜に使用することで、図柄や模様、あるいは文字を、受けた光を反射するように織物の表面に表出させることができる。さらには、反射箔糸と通常の糸、あるいはすでに一定の色彩に染められている糸を、それぞれ縦糸あるいは緯糸、または縦糸と緯糸の双方に使用して織物を織ることで、光を反射する部分と色彩鮮やかな部分とを呈するお守り入れ袋を提供できる。
【００２７】
次に、本実施の形態例に係るお守り袋に使用する反射箔糸について説明する。反射箔糸を作るための箔は、例えば、紙あるいはプラスチックフィルムに金粉、銀粉、色素を塗布したり、紙あるいはプラスチックフィルムに金属を蒸着して作成される。作成された箔は、スリッターで所望の幅に切断され、それにより得られた長尺箔片を、そのまま（平箔）、縦糸あるいは緯糸として織物等に使用したり、この長尺箔片を１本の芯糸に巻きつけたもの（金、銀糸）を縦糸あるいは緯糸として織物に使用する。
【００２８】
なお、織物が受けた光を反射するという機能を奏する限りにおいて、織物に中に反射箔糸とは別に糸状の金属積層フィルムを織り込むことにより、光反射性を向上させたり、繊維生地の表面に、超薄膜の光の反射層と透過層とを積層する方法もある。また、反射箔糸における蒸着金属の色が金あるいは銀等に限られる点に鑑みて、繊維に屈折率の異なるポリマーによる交互多層構造の形態をもたせ、光の反射、干渉あるいは回析、散乱等により様々な発色をさせる方法も考えられる。
【００２９】
本実施の形態例に係るお守り袋に使用する反射箔糸は、放射性物質等、人体に影響を及ぼすようなものは一切含まれていないため安心して使用でき、手で触れても、あるいは肌に直接触れるような使用形態でも、人間に健康被害が生じることはない。また、箔糸そのものは、基本的にプラスチックフィルム等へ金属蒸着する方法で作成されているため不燃性であり、同時に耐熱性にも優れ、プラスチックフィルム等の使用可能範囲であれば、周囲温度の点で問題となることはない。
【００３０】
次に、本実施の形態例に係るお守り袋の製造方法について簡単に説明する。本実施の形態例に係るお守り袋を構成する織物は、暗所等において受けた光を反射する部分、すなわち、図柄や模様、あるいは文字等の一部分、または、図柄や模様、あるいは文字等の輪郭部分を表出するため、例えば、これらの部分の色彩を定めた紋紙（意匠データ）をあらかじめ作成する。この紋紙からは、織物の織機に使用する型紙が作成される。
【００３１】
型紙は、あらかじめ一定の模様や図柄、あるいは文字が、一定間隔で繰り返して織られるように構成されている。そのため、これらの模様や図柄、あるいは文字等が織られた織物を一定間隔で裁断することで、各々の織物片が得られる。
【００３２】
上述した型紙を織物の織機の所定位置にセットすると、その織機に内蔵されたコンピュータ（マイクロプロセッサ）が、それらの図柄や模様、あるいは文字等を読み込み、さらには、指定された色に応じて、その色の金属が蒸着された反射箔糸を繰り取る。その結果、目的とする図柄や模様、あるいは文字が所定の糸で織り上げられることになる。
【００３３】
図２および図３は、図柄や模様、あるいは文字が繰り返し表出するように織られた織物を示している。図２は、袋体の表と裏それぞれに表出される図柄や模様等を横方向に連ねて織ったときの織物を示し、図３は、袋体の表と裏に表出される図柄や模様等が互いに縦方向に連ねて織られたときの織物を示している。
【００３４】
ここでは、図２に示す織物２０、あるいは図３に示す織物３０を一定間隔で裁断し、裁断後の各々の織物片（図２において点線枠で示す織物片２３ａ〜２３ｆ、図３における織物片３３ａ〜３３ｊ）について、その長手方向の両端、あるいは、両端を一定部分のみを折り曲げて縫合し、その後、最終的に模様や図柄、あるいは文字が表面や裏面に表出するように織物片を２つに折り曲げて、その両側を縫合して袋体を形成する。そして、この袋体の開口上端部を適宜、袋体の内側に折り重ねることで、所定形状のお守り袋を構成する。
【００３５】
なお、袋体の開口上端部の近傍には、通常、図１に示すように紐等を設けて、お守り袋を吊り下げることができるようにしている。
【００３６】
このように、本実施の形態例に係るお守り袋は、その袋表面に図柄や模様、あるいは文字等が、上述した反射箔糸を使用して織り込むことにより表出される。これらの図柄や模様、あるいは文字等は、お守り袋の一方の表面のみに、単独であるいは複合した状態で表出させることもできるし、また、お守り袋の両側表面に図柄や模様、あるいは文字を同時に、単独であるいは複合した状態で表出させることもできる。これらは、上述した型紙に、あらかじめ織り込み情報を組み込むことによって可能となる。
【００３７】
反射箔糸を使用して図柄や模様等が表出された織物を裁断・縫合して、お守り袋を構成することで、お守り袋の必要な部分、つまり図柄のみや模様のみ、あるいは文字のみ、あるいは、これらの輪郭部分にのみ反射箔糸を使用したものを、お守り袋の一方側表面あるいは両側表面に表出させることができる。また、それらの模様や図柄、あるいは文字が複合した状態で、お守り袋の一方側表面あるいは両側表面に表出されたお守り袋を構成することができる。さらには、お守り袋の地模様のみを反射箔糸を使用して織ることで、その部分が光を反射するよう表出したお守り袋を形成することもできる。
【００３８】
以上説明したように、本実施の形態例によれば、お守り袋の表面に反射箔糸を使用して図柄や模様、あるいは文字等を表出したり、お守り袋の地模様に反射箔糸を使用することで、そのお守り袋に光が当たると、それら図柄や模様等が受けた光を反射するため、暗所等においてもお守り袋の存在を認識でき、かつ、視覚的にお守り袋を楽しむことができる。
【００３９】
また、あらかじめ種々の色で金属蒸着された反射箔糸を織物に使用することで、その織物の模様部あるいは地模様部等の特定箇所を暗所で視認できるとともに、色彩鮮やかな部分を呈するお守り袋を構成できるため、見た目にも変化に富んだお守り袋とすることができる。
【図面の簡単な説明】
【００４０】
【図１】本発明の実施の形態例に係るお守り袋の外観構成を示す図である。
【図２】図柄や模様、文字等が繰り返し横方向に織り上げられた織物を示す図である。
【図３】図柄や模様、文字等を繰り返し縦方向に織り上げた織物を示す図である。
【符号の説明】
【００４１】
１    袋体
２    文字
３    図柄・模様
４    地模様
５    紐
１０    お守り袋
２０，３０    織物
２３ａ〜２３ｆ，３３ａ〜３３ｊ    織物片
【図１】
2007068615.tif 000003
【図２】
2007068615.tif 000004
【図３】
2007068615.tif 000005